(57)【要約】【課題】水平に置くか垂直に置くことができる上、表示装置と接続され、テレビ機能と電話機能とが統合された、垂直又は水平に置くことが可能で拡張フレームを有する電話ＴＶボックスを提供する。【解決手段】電話ＴＶボックスは、本体１０、チューナ２０及び複数の拡張フレーム３０１，３０２，３０３，３０４を備える。本体１０には、表示装置が接続される。本体１０上には、ワイヤレスセンシング充電台１４が設けられる。チューナ２０は、本体１０のワイヤレスセンシング充電台１４上に選択的に置くことができる。拡張フレーム３０１，３０２，３０３，３０４は、本体１０の周側にそれぞれ設けられ、拡張フレーム３０１，３０２，３０３，３０４が本体１０に引き付けられると第１状態になり、本体から外方へ離れると第２状態になる。【選択図】図２
0003197737.tif 000002
【実用新案登録請求の範囲】
【請求項１】
本体、チューナ及び複数の拡張フレームを備えた、垂直又は水平に置くことが可能で拡張フレームを有する電話ＴＶボックスであって、
前記本体には、表示装置が接続され、前記本体内には、ＴＶボックス及びＳＩＭカードが配設され、前記本体上には、ワイヤレスセンシング充電台が設けられ、
前記チューナは、前記本体の前記ワイヤレスセンシング充電台上に選択的に置くことができ、前記チューナにより前記ＴＶボックスを遠隔操作してワイヤレスセンシング充電を行うとともに、モバイル電話の受話器の機能も得て、
前記拡張フレームは、前記本体の周側にそれぞれ設けられ、前記拡張フレームが前記本体に引き付けられると第１状態になり、前記本体から外方へ離れると第２状態になり、
前記拡張フレームが外方へ離れて第２状態になると、前記拡張フレームに周辺装置を置くことが可能となることを特徴とする垂直又は水平に置くことが可能で拡張フレームを有する電話ＴＶボックス。
【請求項２】
前記拡張フレームは、前記本体の底側に対して平行な複数の伸縮杆を有し、
前記伸縮杆は、軸方向で摺動可能であり、前記伸縮杆が前記本体内に引き込まれると第１状態になり、前記本体が外方へ延びると第２状態になり、
前記伸縮杆の末端には、ストッパ部が横向きに設けられていることを特徴とする請求項１に記載の垂直又は水平に置くことが可能で拡張フレームを有する電話ＴＶボックス。
【請求項３】
前記本体上には、レンズが設けられていることを特徴とする請求項１に記載の垂直又は水平に置くことが可能で拡張フレームを有する電話ＴＶボックス。
【請求項４】
前記本体の左右及び前後にそれぞれ設けられた複数の拡張フレームをさらに備え、
前記ストッパ部は、前記本体に対向した側の一側面が平面に形成され、他側面が弧面部であり、
第１状態では、前記ストッパ部により前記電話ＴＶボックス全体が弧形状に形成されることを特徴とする請求項２に記載の垂直又は水平に置くことが可能で拡張フレームを有する電話ＴＶボックス。
【請求項５】
前記伸縮杆には、複数の締結孔が形成されていることを特徴とする請求項２に記載の垂直又は水平に置くことが可能で拡張フレームを有する電話ＴＶボックス。
【考案の詳細な説明】
【技術分野】
【０００１】
本考案は、スマート型電気製品に関し、特に拡張フレームを有する電話ＴＶボックスに関する。
【背景技術】
【０００２】
モノのインターネット（Ｉｎｔｅｒｎｅｔ  ｏｆ  Ｔｈｉｎｇｓ：ＩｏＴ）の発展に伴い、産業環境と市場のニーズ及び発展もそれに伴って変化しており、家電製品の機能統合化は現代産業及び市場発展の流れとなっている。
【０００３】
テレビは各家庭における電気製品の必需品の一つである上、家庭で使用する頻度が最も高い電気製品でもある。しかし従来、テレビは画像及び音声の放送機能を備える他は、再生装置を外付けする機能を備えているだけであり、テレビにその他の機能を持たせることはできなかった。また、従来の固定電話は広く使用されているが、現代の家電デジタル統合化の機能を未だ備えていなかったため、ユーザのニーズを満たすことは困難であった。
【考案の概要】
【考案が解決しようとする課題】
【０００４】
本考案の主な目的は、水平に置くか垂直に置くことができる上、表示装置と接続され、テレビ機能と電話機能とを統合することができ、拡張フレームを外方へ離して第２状態にすると、周辺装置を置くことができ、電話ＴＶボックスにより他の電子周辺装置を統合して多機能を得ることもできる、見たり聞いたり話したりすることができる新しいタイプのテレビである、垂直又は水平に置くことが可能で拡張フレームを有する電話ＴＶボックスを提供することにある。
【図面の簡単な説明】
【０００５】
【図１】本考案の一実施形態に係る垂直又は水平に置くことが可能で拡張フレームを有する電話ＴＶボックスの拡張フレームが閉じた状態を示す斜視図である。
【図２】本考案の一実施形態に係る垂直又は水平に置くことが可能で拡張フレームを有する電話ＴＶボックスの拡張フレームが延びて展開した状態を示す斜視図である。
【図３】本考案の一実施形態に係る垂直又は水平に置くことが可能で拡張フレームを有する電話ＴＶボックスが垂直に立てられて拡張フレームが閉じた状態を示す説明図である。
【図４】本考案の一実施形態に係る垂直又は水平に置くことが可能で拡張フレームを有する電話ＴＶボックスが垂直に立てられて拡張フレームが延びて展開した状態を示す説明図である。
【図５】本考案の一実施形態に係る垂直又は水平に置くことが可能で拡張フレームを有する電話ＴＶボックスが垂直に立てられて使用される状態を示す説明図である。
【図６】本考案の一実施形態に係る垂直又は水平に置くことが可能で拡張フレームを有する電話ＴＶボックスが水平に置かれて使用される状態を示す説明図である。
【図７】本考案の一実施形態に係る垂直又は水平に置くことが可能で拡張フレームを有する電話ＴＶボックスが水平に置かれて使用される状態を示す正面図である。
【考案を実施するための形態】
【０００６】
以下、本考案の実施形態について図に基づいて説明する。なお、これによって本考案が限定されるものではない。
【０００７】
図１〜図３を参照する。図１は、本考案の一実施形態に係る垂直又は水平に置くことが可能で拡張フレームを有する電話ＴＶボックス拡張フレームが閉じた状態を示す斜視図である。図２は、本考案の一実施形態に係る垂直又は水平に置くことが可能で拡張フレームを有する電話ＴＶボックスの拡張フレームが延びて展開した状態を示す斜視図である。図３は、本考案の一実施形態に係る垂直又は水平に置くことが可能で拡張フレームを有する電話ＴＶボックスが垂直に立てられて拡張フレームが閉じた状態を示す説明図である。図１〜図３に示すように、本考案の一実施形態に係る垂直又は水平に置くことが可能で拡張フレームを有する電話ＴＶボックスは、少なくとも本体１０、チューナ２０及び複数の拡張フレーム３０から構成されてなる。
【０００８】
本体１０には、表示装置２００が接続される。表示装置２００は、液晶表示装置でもよい。本体１０内には、ＴＶボックス１１及びＳＩＭカード１２が配設される。本体１０上には、レンズ１３及びワイヤレスセンシング充電台１４が設けられている。ＴＶボックス１１は、表示装置２００により放映する。レンズ１３は、ビデオ通信を行うために用いる。ワイヤレスセンシング充電台１４は、無線伝送方式により外部装置への給電を行う。本実施形態の本体１０は、データを高速無線伝送するモバイル通信機器を有してもよい。モバイル通信機器は、３Ｇ又は４Ｇのモバイル通信機器でもよく、本体１０は、電話ＴＶボックスがネットワーク通信線を利用してデータを伝送する有線ネットワーク装置をさらに含む。
【０００９】
チューナ２０は、ＴＶボックス１１を遠隔操作し、表示装置２００により放映されるテレビ番組のチャネル、音量などを制御することができる。チューナ２０は、本体１０のワイヤレスセンシング充電台１４上に選択的に置くことができる。チューナ２０は、ワイヤレスセンシング充電機能を有し、ワイヤレスセンシング充電台１４上に置くと、ワイヤレスセンシング充電台１４を介してワイヤレスセンシング充電機能を得ることができるとともに、チューナ２０がモバイル電話の受話器の機能も得られるため、モバイル通話を行うことができる。
【００１０】
複数の拡張フレーム３０は、本体１０の周側にそれぞれ配設され、第１の拡張フレーム３０１、第２の拡張フレーム３０２、第３の拡張フレーム３０３及び第４の拡張フレーム３０４を含む。第１の拡張フレーム３０１は、本体１０の前側に配設される。第２の拡張フレーム３０２は、本体１０の左側に配設される。第３の拡張フレーム３０３は、本体１０の右側に配設される。第４の拡張フレーム３０４は、本体１０の後側に配設される。各拡張フレーム３０は、本体１０の底側面に対して平行な複数の伸縮杆３１を有する。各伸縮杆３１は、複数の締結孔３１１を有する。複数の伸縮杆３１は、その軸方向で摺動可能で、伸縮杆３１が本体１０内に選択的に引き込まれて第１状態になるか、或いは伸縮杆３１が外方へ延びて第２状態になり、伸縮杆３１の末端部には、ストッパ部３２が横向きに設けられている。ストッパ部３２の本体１０に対向した一側には、平面部３２１が形成され、第１の拡張フレーム３０１、第２の拡張フレーム３０２、第３の拡張フレーム３０３の他側には弧面部３２２が形成され、伸縮杆３１が本体１０に引き込まれて第１状態になると、本体１０の左右及び前側に位置する複数のストッパ部３２は、電話ＴＶボックス全体が弧形状に形成され、伸縮杆３１が外方へ延びて本体１０が第２状態になると、複数の拡張フレーム３０に表示装置２００又は他の周辺装置（例えば、スピーカー、外付け式ハードディスクなど）を置き、表示装置２００及び周辺装置が複数の締結孔３１１により螺着される。
【００１１】
図３〜図５を参照する。図３は、本考案の一実施形態に係る垂直又は水平に置くことが可能で拡張フレームを有する電話ＴＶボックスが垂直に立てられて拡張フレームが閉じた状態を示す説明図である。図４は、本考案の一実施形態に係る垂直又は水平に置くことが可能で拡張フレームを有する電話ＴＶボックスを垂直に立てられて拡張フレームが延びて展開した状態を示す説明図である。図５は、本考案の一実施形態に係る垂直又は水平に置くことが可能で拡張フレームを有する電話ＴＶボックスが垂直に立てられて使用される状態を示す説明図である。図１〜図５に示すように、本考案の電話ＴＶボックスは、表示装置２００を選択的に壁掛けするか、或いは垂直方向へ置き、利用者が複数のスピーカー３００などのオーディオビデオの周辺装置を表示装置２００へ組み合わせて使用する際、複数の拡張フレーム３０を外方へ引き出すと第２状態になり、スピーカー３００又はその他周辺装置を置き、複数のスピーカー３００などを複数の締結孔３１１に螺着して複数の拡張フレーム３０上に固定してオーディオビデオ周辺装置を統合することができ、電話ＴＶボックスは使用のニーズに応じて他の電子周辺装置と組み合わせることができる上、周辺装置は複数の拡張フレーム３０を介して一体化され、多機能を得ることができる。
【００１２】
もし電話ＴＶボックスが、その他周辺装置を置く拡張フレーム３０を使用していない場合、引き込まれて本体１０が第１状態にされると、電話ＴＶボックスの占有体積を減らすことができる上、ストッパ部３２の他方の側の弧面部３２２により、電話ＴＶボックスの外観が弧形状になり見た目を向上させることができる。
【００１３】
また、利用者が電話ＴＶボックスを操作する際、チューナ２０に内蔵した機能メニューを利用し、チューナ２０は本体１０内のＴＶボックス１１と通信し、利用者がチューナ２０を介してＴＶボックス１１を遠隔操作すると、表示装置２００が放送するテレビのチャネル、音量などを制御することができる上、チューナ２０に内蔵した機能メニューを利用し、チューナ２０を本体１０内のＳＩＭカード１２とリンクさせ、利用者は、チューナ２０を介してモバイル電話用の通話機能を実行し、チューナ２０を利用してモバイル通話を行う。これにより電話ＴＶボックスは、テレビ及び電話の機能を得ることができる。
【００１４】
利用者はチューナ２０の使用が終わると、チューナ２０を本体１０のワイヤレスセンシング充電台１４上へ置き、ワイヤレスセンシング充電台１４によりチューナ２０を無線充電し、チューナ２０に必要な電気エネルギを供給する。
【００１５】
このように、本考案の電話ＴＶボックスは、テレビ及び電話の機能を同時に結合することができる上、これら複数の拡張フレーム３０を外方へ延ばして本体１０を第２状態にし、スピーカー３００などの周辺装置を置き、電話ＴＶボックスを他の電子周辺装置と統合して多機能を得て、見たり聞いたり話したりすることができる全く新しいタイプのテレビを提供することができる。
【００１６】
図６及び図７を参照する。図６は、本考案の一実施形態に係る垂直又は水平に置くことが可能で拡張フレームを有する電話ＴＶボックスが水平に置かれて使用される状態を示す説明図である。図７は、本考案の一実施形態に係る垂直又は水平に置くことが可能で拡張フレームを有する電話ＴＶボックスが水平に置かれて使用される状態を示す正面図である。図１、図２、図６及び図７に示すように、本考案の一実施形態に係る垂直又は水平に置くことが可能で拡張フレームを有する電話ＴＶボックスは、表示装置２００を選択的に水平に置き、表示装置２００のスタンドに螺着すると、本体１０を表示装置２００のベースとして用いることができ、本体１０を利用して表示装置２００を置く接触面積を増やし、表示装置２００が倒れないように安定的に置くことができる。また、電話ＴＶボックスを水平に置いた場合、複数の拡張フレーム３０を引き出すことができ、複数の拡張フレーム３０を外方へ延ばして第２状態にし、表示装置２００の設置接触面積を増やし、表示装置２００が倒れないように安定させて置くことができる。
【００１７】
上述したことから分かるように、本考案の垂直又は水平に置くことが可能で拡張フレームを有する電話ＴＶボックスは、以下（１）及び（２）の長所を有する。
（１）テレビ及び電話の機能を備える上、拡張フレームを外方へ延ばして第２状態にすると、周辺装置を置くことができるため、電話ＴＶボックスにより他の電子周辺装置を統合して多機能を得ることができる。
（２）表示装置を垂直に置いて接続することができる上、表示装置を選択的に水平に置いて、表示装置のベースとして用い、表示装置の設置接触面積を増大させ、表示装置が倒れないように安定させて置くこともできる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１０  本体
１１  ＴＶボックス
１２  ＳＩＭカード
１３  レンズ
１４  ワイヤレスセンシング充電台
２０  チューナ
３０  拡張フレーム
３１  伸縮杆
３２  ストッパ部
２００  表示装置
３００  スピーカー
３０１  第１の拡張フレーム
３０２  第２の拡張フレーム
３０３  第３の拡張フレーム
３０４  第４の拡張フレーム
３１１  締結孔
３２１  平面部
３２２  弧面部
【図１】
0003197737.tif 000003
【図２】
0003197737.tif 000004
【図３】
0003197737.tif 000005
【図４】
0003197737.tif 000006
【図５】
0003197737.tif 000007
【図６】
0003197737.tif 000008
【図７】
0003197737.tif 000009